(57)【要約】      （修正有）【課題】給電ユニットでは対応できない消費電力の機器を予め検知することができる空調システムを提供する。【解決手段】空調システムは、冷媒サイクルと、給電ユニットと、コントローラとを備える。冷媒サイクルは、室外ユニット、及び、複数の室内ユニットを有する。給電ユニットは、複数の室内ユニットの少なくとも一部への電源が遮断された場合に、電源が遮断された室内ユニットに補助電源の供給を行う。コントローラは、複数の室内ユニット及び給電ユニットの少なくとも一部に所定の機器が接続されたときに、機器の状態の報知、及び、機器の機能の少なくとも一部の非アクティブ化の少なくとも一部を行う。【選択図】図２
2020197322.tif 000002
【特許請求の範囲】
【請求項１】
室外ユニット（１０）、及び、複数の室内ユニット（３０）を有する冷媒サイクル（ＲＣ）と、
複数の前記室内ユニットの少なくとも一部への電源が遮断された場合に、電源が遮断された前記室内ユニットに補助電源の供給を行う給電ユニット（４０）と、
コントローラ（６０）と、
を備え、
前記コントローラは、複数の前記室内ユニット及び前記給電ユニットの少なくとも一部に所定の機器が接続されたときに、前記機器の状態の報知、及び、前記機器の機能の少なくとも一部の非アクティブ化の少なくとも一部を行う、
空調システム（１００）。
【請求項２】
前記コントローラは、消費電力が所定の閾値を超える前記機器が接続されたときに、前記報知及び前記非アクティブ化の少なくとも一部を行う、
請求項１に記載の空調システム。
【請求項３】
前記コントローラは、音、光及び表示の少なくとも一部による警報を発することで前記報知を行う、
請求項１又は２に記載の空調システム。
【請求項４】
前記機器は、前記室内ユニットに接続される加湿器（３７）、及び、前記加湿器と連動するドレンポンプ（３５）を少なくとも含み、
前記コントローラは、前記機器が接続されたときに、前記加湿器と前記ドレンポンプとの連動を停止させることで前記非アクティブ化を行う、
請求項１から３のいずれか１項に記載の空調システム。
【請求項５】
前記コントローラは、前記機器が接続されている状態で前記室内ユニットの運転が停止した場合に、前記室外ユニットの運転を停止させない、
請求項１から４のいずれか１項に記載の空調システム。
【請求項６】
前記コントローラは、前記冷媒サイクルに所定の異常が検知された場合に、前記室内ユニット及び前記室外ユニットの運転を停止させる、
請求項１から５のいずれか１項に記載の空調システム。
【発明の詳細な説明】
【技術分野】
【０００１】
空調システム
【背景技術】
【０００２】
従来、特許文献１（特開２０１３−４０６９８号公報）に開示されるように、一部の室内ユニットの電源が遮断されても空調運転を継続することができる空調システムが知られている。
【発明の概要】
【発明が解決しようとする課題】
【０００３】
一部の室内ユニットの電源が遮断され、電源が遮断された室内ユニットに給電ユニットから電力が供給される際に、給電ユニットでは対応できない消費電力の機器が室内ユニットに接続されていると、当該機器への電力供給が不十分となり空調システムに不具合が生じる課題がある。
【課題を解決するための手段】
【０００４】
第１観点の空調システムは、冷媒サイクルと、給電ユニットと、コントローラとを備える。冷媒サイクルは、室外ユニット、及び、複数の室内ユニットを有する。給電ユニットは、複数の室内ユニットの少なくとも一部への電源が遮断された場合に、電源が遮断された室内ユニットに補助電源の供給を行う。コントローラは、複数の室内ユニット及び給電ユニットの少なくとも一部に所定の機器が接続されたときに、機器の状態の報知、及び、機器の機能の少なくとも一部の非アクティブ化の少なくとも一部を行う。
【０００５】
第１観点の空調システムは、給電ユニットでは対応できない消費電力の機器を予め検知することができる。
【０００６】
第２観点の空調システムは、第１観点の空調システムであって、コントローラは、消費電力が所定の閾値を超える機器が接続されたときに、報知及び非アクティブ化の少なくとも一部を行う。
【０００７】
第２観点の空調システムは、給電ユニットでは対応できない消費電力の機器を予め検知することができる。
【０００８】
第３観点の空調システムは、第１観点又は第２観点の空調システムであって、コントローラは、音、光及び表示の少なくとも一部による警報を発することで報知を行う。
【０００９】
第３観点の空調システムは、給電ユニットでは対応できない消費電力の機器の存在を施工者等が予め把握することができる。
【００１０】
第４観点の空調システムは、第１乃至第３観点のいずれか１つの空調システムであって、機器は、室内ユニットに接続される加湿器、及び、加湿器と連動するドレンポンプを少なくとも含む。コントローラは、機器が接続されたときに、加湿器とドレンポンプとの連動を停止させることで非アクティブ化を行う。
【００１１】
第４観点の空調システムは、給電ユニットでは対応できない消費電力の機器を予め検知することができる。
【００１２】
第５観点の空調システムは、第１乃至第４観点のいずれか１つの空調システムであって、コントローラは、機器が接続されている状態で室内ユニットの運転が停止した場合に、室外ユニットの運転を停止させない。
【００１３】
第５観点の空調システムは、一部の室内ユニットの運転が停止した場合でも、他の室内ユニットの運転を継続することができる。
【００１４】
第６観点の空調システムは、第１乃至第５観点のいずれか１つの空調システムであって、コントローラは、冷媒サイクルに所定の異常が検知された場合に、室内ユニット及び室外ユニットの運転を停止させる。
【００１５】
第６観点の空調システムは、冷媒サイクルに異常が発生した場合でも、安全性を確保することができる。
【図面の簡単な説明】
【００１６】
【図１】第１実施形態に係る空調システム１００の概略構成図である。
【図２】第１実施形態における報知及び非アクティブ化の処理のフローチャートである。
【図３】空調システム１００全体の運転の制御フローを表す図である。
【図４】第２実施形態における報知及び非アクティブ化の処理のフローチャートである。
【図５】変形例Ｆに係る空調システム１００の概略構成図である。
【発明を実施するための形態】
【００１７】
―第１実施形態―
第１実施形態に係る空調システム１００について、図面を参照しながら説明する。
【００１８】
（１）空調システム１００の構成
図１は、本実施形態の空調システム１００の概略構成図である。空調システム１００は、家屋、ビル、工場又は公共施設等の建物内に含まれる対象空間において冷房及び暖房等の空気調和を実現するシステムである。
【００１９】
空調システム１００は、冷媒が循環する冷媒回路ＲＣを含む。空調システム１００は、冷媒回路ＲＣにおいて冷媒を循環させて蒸気圧縮方式の冷凍サイクルを行うことにより、対象空間の冷房又は暖房を行う。冷媒回路ＲＣには、Ｒ４１０Ａ、Ｒ３２又はアンモニア等の冷媒が封入されている。
【００２０】
空調システム１００は、主として、熱源ユニットとしての１台の室外ユニット１０と、利用ユニットとしての複数台（図１では３台）の室内ユニット３０（３０ａ，３０ｂ，３０ｃ）と、１台の給電ユニット４０と、複数台（図１では３台）のリモコン５０と、コントローラ６０とを備えている。空調システム１００の冷媒回路ＲＣは、室外ユニット１０と各室内ユニット３０とがガス連絡配管ＧＰ及び液連絡配管ＬＰによって接続されることで構成されている。言い換えると、空調システム１００は、同一冷媒系統に複数の室内ユニット３０が接続された、マルチタイプ（マルチテナント）の空調システムである。
【００２１】
（１−１）室外ユニット１０
室外ユニット１０は、室外（対象空間外）に設置される室外機である。室外ユニット１０は、主として、複数の冷媒配管（第１配管Ｐ１〜第５配管Ｐ５）と、圧縮機１１と、四路切換弁１２と、室外熱交換器１３と、室外ファン１５と、室外ユニット制御部１７とを有している。
【００２２】
第１配管Ｐ１は、ガス連絡配管ＧＰと四路切換弁１２とを接続する冷媒配管である。第２配管Ｐ２は、四路切換弁１２と圧縮機１１の吸入ポート（図示省略）とを接続する吸入配管である。第３配管Ｐ３は、圧縮機１１の吐出ポート（図示省略）と四路切換弁１２とを接続する吐出配管である。第４配管Ｐ４は、四路切換弁１２と室外熱交換器１３のガス側とを接続する冷媒配管である。第５配管Ｐ５は、室外熱交換器１３の液側と液連絡配管ＬＰとを接続する冷媒配管である。
【００２３】
圧縮機１１は、低圧のガス冷媒を吸入し、圧縮して吐出する機構である。圧縮機１１は、圧縮機モータ１１ａが内蔵された密閉式の構造を有している。圧縮機１１では、圧縮機ケーシング（図示省略）内に収容されたロータリ式又はスクロール式等の圧縮要素（図示省略）が、圧縮機モータ１１ａを駆動源として駆動される。圧縮機モータ１１ａは、運転中、インバータ制御され、状況に応じて回転数が調整される。圧縮機１１は、駆動時に、吸入ポートから冷媒を吸入し、圧縮し、吐出ポートから吐出する。
【００２４】
四路切換弁１２は、冷媒回路ＲＣにおいて冷媒の流れる方向を切り換えるための弁である。四路切換弁１２は、第１配管Ｐ１、第２配管Ｐ２、第３配管Ｐ３及び第４配管Ｐ４と個別に接続されている。四路切換弁１２は、冷房運転時には、第１配管Ｐ１と第２配管Ｐ２とが接続されるとともに、第３配管Ｐ３と第４配管Ｐ４とが接続されるように、流路を切り換える（図１の四路切換弁１２の実線を参照）。四路切換弁１２は、暖房運転時には、第１配管Ｐ１と第３配管Ｐ３とが接続されるとともに、第２配管Ｐ２と第４配管Ｐ４とが接続されるように、流路を切り換える（図１の四路切換弁１２の破線を参照）。
【００２５】
室外熱交換器１３は、冷房運転時には冷媒の凝縮器又は放熱器として機能し、暖房運転時には冷媒の蒸発器として機能する熱交換器である。室外熱交換器１３は、冷媒が流れる伝熱管（図示省略）と、伝熱面積を増大する伝熱フィン（図示省略）とを含む。室外熱交換器１３は、運転時において、伝熱管内の冷媒と、室外ファン１５によって生成される空気流とが熱交換可能なように配置されている。
【００２６】
室外ファン１５は、例えばプロペラファンである。室外ファン１５は、室外ファンモータ１５ａの出力軸に接続されており、室外ファンモータ１５ａに連動して駆動する。室外ファン１５は、駆動すると、外部から室外ユニット１０内に流入し室外熱交換器１３を通過してから室外ユニット１０外へ流出する空気流を生成する。
【００２７】
室外ユニット制御部１７は、ＣＰＵ及びメモリ等から構成されるマイクロコンピュータである。室外ユニット制御部１７は、室外ユニット１０の各アクチュエータの動作を制御する。室外ユニット制御部１７は、各室内ユニット３０の室内ユニット制御部３４（後述）と、通信線ｃｂ１，ｃｂ２及び給電ユニット４０を介して接続されており、相互に信号の送受信を行う。
【００２８】
（１−２）室内ユニット３０
室内ユニット３０（３０ａ，３０ｂ，３０ｃ）は、対象空間に設置される室内機である。室内ユニット３０は、室外ユニット１０とともに冷媒回路ＲＣを構成している。室内ユニット３０は、主として、室内熱交換器３１と、膨張弁３２（３２ａ，３２ｂ，３２ｃ）と、室内ファン３３と、室内ユニット制御部３４とを有している。
【００２９】
室内熱交換器３１は、冷房運転時には冷媒の蒸発器として機能し、暖房運転時には冷媒の凝縮器又は放熱器として機能する熱交換器である。室内熱交換器３１は、例えばクロスフィンチューブ熱交換器である。室内熱交換器３１の液側は、膨張弁３２（３２ａ，３２ｂ，３２ｃ）まで延びる冷媒配管に接続されている。室内熱交換器３１のガス側は、ガス連絡配管ＧＰまで延びる冷媒配管に接続されている。室内熱交換器３１は、運転時において、伝熱管（図示省略）内の冷媒と、室内ファン３３によって生成される空気流とが熱交換可能なように配置されている。
【００３０】
膨張弁３２（３２ａ，３２ｂ，３２ｃ）は、開度調整が可能な電動弁である。膨張弁３２は、運転時において、状況に応じて開度が適宜調整され、開度に応じて冷媒を減圧する。各室内ユニット３０は、１つの膨張弁３２を有している。具体的には、室内ユニット３０ａは、膨張弁３２ａを有し、室内ユニット３０ｂは、膨張弁３２ｂを有し、室内ユニット３０ｃは、膨張弁３２ｃを有している。膨張弁３２ａ，３２ｂ，３２ｃは、それぞれ、対応する室内ユニット３０ａ，３０ｂ，３０ｃの運転状況に応じて開度が適宜調整される。
【００３１】
膨張弁３２は、室内熱交換器３１の液側まで延びる冷媒配管、及び、液連絡配管ＬＰまで延びる冷媒配管に接続されている。液連絡配管ＬＰは、室外ユニット１０の第５配管Ｐ５と、各膨張弁３２とを接続する。液連絡配管ＬＰの一端は、第５配管Ｐ５と接続され、液連絡配管ＬＰの他端は、膨張弁３２の数に応じて分岐して各膨張弁３２と個別に接続されている。
【００３２】
室内ファン３３は、例えばターボファン、シロッコファン、クロスフローファン又はプロペラファン等の送風機である。室内ファン３３は、室内ファンモータ３３ａの出力軸に接続されている。室内ファン３３は、室内ファンモータ３３ａに連動して駆動する。室内ファン３３は、駆動すると、室内ユニット３０内に吸い込まれて室内熱交換器３１を通過した後に対象空間へと吹き出される空気流を生成する。
【００３３】
室内ユニット制御部３４は、ＣＰＵ及びメモリ等から構成されるマイクロコンピュータである。室内ユニット制御部３４は、室内ユニット３０の各アクチュエータの動作を制御する。各室内ユニット制御部３４は、室外ユニット制御部１７と、通信線ｃｂ１，ｃｂ２及び給電ユニット４０を介して接続されており、相互に信号の送受信を行う。室内ユニット制御部３４は、リモコン５０と無線通信を行う。
【００３４】
室内ユニット３０の室内ユニット制御部３４は、当該室内ユニット３０の膨張弁３２と通信線（図示省略）を介して接続されており、当該膨張弁３２の開度を調整することができる。
【００３５】
（１−３）給電ユニット４０
給電ユニット４０は、室外ユニット制御部１７及び各室内ユニット制御部３４と、通信線ｃｂ１，ｃｂ２を介して接続されている。具体的には、通信線ｃｂ１は、給電ユニット４０と室外ユニット制御部１７とを接続しており、通信線ｃｂ２は、室内ユニット制御部３４の数に応じて分岐し、給電ユニット４０と各室内ユニット制御部３４とを接続している。通信線ｃｂ１は、給電ユニット４０を介して通信線ｃｂ２に接続されている。
【００３６】
各室内ユニット３０は、建物に設置されている外部の商用電源（図示省略）に接続されている。室内ユニット３０は、正常運転時には商用電源から供給された電力によって稼動している。給電ユニット４０は、複数の室内ユニット３０の少なくとも一部への商用電源が遮断された場合、言い換えると、少なくとも１つの室内ユニット３０への商用電源からの電力供給が停止した場合に、商用電源（以下、単に「電源」と呼ぶ。）が遮断された室内ユニット３０に電力を供給するための補助電源である。通信線ｃｂ２は、室外ユニット制御部１７と各室内ユニット制御部３４との間で送受信される信号の他に、給電ユニット４０から各室内ユニット３０に供給される電力を伝送する。
【００３７】
（１−４）リモコン５０
リモコン５０は、ＣＰＵ及びメモリ等から構成されるマイクロコンピュータを含むリモコン制御部（図示省略）と、空調システム１００へ各種コマンドを入力するための入力キーを含むリモコン入力部（図示省略）とを有するデバイスである。
【００３８】
空調システム１００は、室内ユニット３０と同数のリモコン５０を有している。リモコン５０は、いずれかの室内ユニット３０と一対一で対応づけられている。リモコン５０は、対応する室内ユニット３０の室内ユニット制御部３４と、赤外線及び電波等を用いて無線通信を行う。リモコン５０は、ユーザ及び管理者等によってリモコン入力部へコマンドが入力されると、入力されたコマンドに応じて、所定の信号を室内ユニット制御部３４に送信する。
【００３９】
（１−５）コントローラ６０
空調システム１００では、室外ユニット１０の室外ユニット制御部１７と、各室内ユニット３０（３０ａ，３０ｂ，３０ｃ）の室内ユニット制御部３４とが通信線ｃｂ１，ｃｂ２及び給電ユニット４０を介して接続されることで、コントローラ６０が構成されている。コントローラ６０は、空調システム１００の動作を制御する。
【００４０】
（２）空調システム１００の運転
いずれかのリモコン５０に運転開始コマンドが入力され、コントローラ６０によって冷房運転又は暖房運転に係る制御が実行されると、四路切換弁１２が所定の状態に切り換えられ、圧縮機１１及び室外ファン１５が起動する。その後、運転開始コマンドが入力されたリモコン５０に対応する室内ユニット３０が運転状態（室内ファン３３が稼動している状態）となる。
【００４１】
（２−１）冷房運転
冷房運転時には、四路切換弁１２が冷房サイクル状態（図１の四路切換弁１２の実線で示された状態）に切り換えられる。この状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、及び第４配管Ｐ４を通過して室外熱交換器１３に流入する。
【００４２】
室外熱交換器１３に流入した冷媒は、室外ファン１５が生成する空気流と熱交換して凝縮する。室外熱交換器１３から流出した冷媒は、第５配管Ｐ５及び液連絡配管ＬＰを通過して、各室内ユニット３０に流入する。
【００４３】
室内ユニット３０に流入した冷媒は、膨張弁３２に流入する。膨張弁３２に流入した冷媒は、膨張弁３２の開度に応じて減圧される。膨張弁３２から流出した冷媒は、室内熱交換器３１に流入し、室内ファン３３によって生成される空気流と熱交換して蒸発する。室内熱交換器３１から流出した冷媒は、ガス連絡配管ＧＰを通過して室外ユニット１０に流入する。
【００４４】
室外ユニット１０に流入した冷媒は、第１配管Ｐ１、四路切換弁１２、及び第２配管Ｐ２を通過して、再び圧縮機１１に吸入されて圧縮される。
【００４５】
（２−２）暖房運転
暖房運転時には、四路切換弁１２が暖房サイクル状態（図１の四路切換弁１２の破線で示された状態）に切り換えられる。この状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、第１配管Ｐ１及びガス連絡配管ＧＰを通過して各室内ユニット３０に流入する。
【００４６】
室内ユニット３０に流入した冷媒は、室内熱交換器３１に流入し、室内ファン３３が生成する空気流と熱交換して凝縮する。室内熱交換器３１から流出した冷媒は、膨張弁３２に流入し、膨張弁３２の開度に応じて減圧される。膨張弁３２から流出した冷媒は、液連絡配管ＬＰを通過して室外ユニット１０に流入する。
【００４７】
室外ユニット１０に流入した冷媒は、第５配管Ｐ５を通過して室外熱交換器１３に流入する。室外熱交換器１３に流入した冷媒は、室外ファン１５によって生成される空気流と熱交換して蒸発する。室外熱交換器１３から流出した冷媒は、第４配管Ｐ４、四路切換弁１２、及び第２配管Ｐ２を通過して、再び圧縮機１１に吸入されて圧縮される。
【００４８】
（３）コントローラ６０の詳細
次に、複数の室内ユニット３０及び給電ユニット４０の少なくとも一部に所定の機器（以下、「対象機器」と呼ぶ。）が接続された時、又は、接続されている時（以下、「機器接続時」と呼ぶ。）における、コントローラ６０による空調システム１００の動作の制御について説明する。
【００４９】
本実施形態では、対象機器は、各室内ユニット３０に取り付けられている加湿器３７及びドレンポンプ３５を少なくとも含む。各室内ユニット３０において、加湿器３７及びドレンポンプ３５は、室内ユニット制御部３４に接続されている。加湿器３７及びドレンポンプ３５は、室内ユニット制御部３４を介して給電ユニット４０に接続されている。室内ユニット制御部３４は、加湿器３７及びドレンポンプ３５が室内ユニット３０及び給電ユニット４０に接続されたこと、又は、接続されていることを常時認識することができる。
【００５０】
加湿器３７は、自然排水及び強制排水の機能を有する。自然排水とは、運転中の加湿器３７から発生した水を、ドレンパン及び外部の機器を用いないで室内ユニット３０から排出する機能である。強制排水とは、運転中の加湿器３７から発生した水を、ドレンポンプ３５等の機器を用いて室内ユニット３０から排出する機能である。本実施形態では、加湿器３７の強制排水は、加湿器３７から発生した水をドレンパンに貯留し、ドレンパンに貯留された水をドレンポンプ３５で排出することにより行われる。ドレンポンプ３５は、冷房運転時においては、室内熱交換器３１で発生してドレンパンに貯留されたドレン水を排出するために用いられる。室内ユニット３０の室内ユニット制御部３４は、加湿器３７が現在行っている排水モードが、自然排水であるのか強制排水であるのかを認識しない。
【００５１】
暖房運転時において、加湿器３７が自然排水を行っている場合、加湿器３７から発生した水はドレンパンに貯留されないので、ドレンポンプ３５の常時運転は不要である。一方、暖房運転時において、加湿器３７が強制排水を行っている場合、加湿器３７から発生した水はドレンパンに貯留されるので、ドレンポンプ３５の常時運転が必要となる。言い換えると、加湿器３７が強制排水を行っている場合、少なくとも加湿器３７の運転中は、ドレンポンプ３５を運転させる必要がある。そのため、ドレンポンプ３５は、設定に応じて加湿器３７と連動することができる機能を有する。
【００５２】
デフォルトでは、加湿器３７は自然排水を行う。加湿器３７の排水モードを自然排水から強制排水に切り替える場合、空調システム１００の設置を担当する施工者等が現地において排水モードの設定を変更し、必要な工事等を行う必要がある。その際、施工者は、ドレンポンプ３５と加湿器３７とを連動させるために必要な設定を行う。加湿器３７の排水モードを強制排水から自然排水に切り替える場合も、施工者は、現地において必要な設定及び工事等を行う必要がある。
【００５３】
コントローラ６０は、機器接続時において、対象機器の状態の報知、及び、対象機器の機能の少なくとも一部の非アクティブ化の少なくとも一部を行う。
【００５４】
対象機器の状態の報知（以下、「報知」と呼ぶ。）とは、例えば、複数の室内ユニット３０及び給電ユニット４０の少なくとも一部に対象機器が接続されたこと、又は、接続されていることの通知、及び、当該対象機器に関する情報の提示である。対象機器に関する情報とは、例えば、対象機器の種類及び台数である。報知は、例えば、音、光及び表示の少なくとも一部による警報を発することで行われてもよい。「表示」は、例えば、リモコン５０、及び、空調システム１００の管理サーバの画面等にエラーコード等の情報を表示させることで行われてもよい。
【００５５】
対象機器の機能の少なくとも一部の非アクティブ化（以下、「非アクティブ化」と呼ぶ。）とは、例えば、給電ユニット４０から対象機器への電力の供給の停止又は制限、及び、対象機器の機能の制限である。非アクティブ化は、複数の室内ユニット３０及び給電ユニット４０の少なくとも一部に対象機器が接続された状態で行われる。ドレンポンプ３５と加湿器３７とを連動させるための設定が行われている場合、非アクティブ化は、ドレンポンプ３５と加湿器３７との連動を停止することを含む。
【００５６】
コントローラ６０は、例えば、消費電力が所定の閾値を超える対象機器が接続されたときに、報知及び非アクティブ化の少なくとも一部を行う。所定の閾値は、例えば、複数の室内ユニット３０の少なくとも一部への電源が遮断された時（以下、「電源遮断時」と呼ぶ。）において、給電ユニット４０が対象機器に供給することができる電力に基づいて決定される。給電ユニット４０は、電源遮断時において、電源が遮断された室内ユニット３０に電力を供給する。コントローラ６０は、電源遮断時に給電ユニット４０では対応できない消費電力の対象機器を予め検知して、報知及び非アクティブ化の少なくとも一部を行う。
【００５７】
本実施形態では、コントローラ６０は、試運転時及び機器接続時等において、報知及び非アクティブ化の少なくとも一部を行う。「試運転時」とは、例えば、空調システム１００の施工者が施工後の初回起動時にチェック運転を行う時である。「機器接続時」は、上述したように、対象機器が接続されている時を含む。そのため、コントローラ６０は、対象機器の状態を常時監視しながら、報知及び非アクティブ化の少なくとも一部を行うことができる。
【００５８】
以下において、給電ユニット４０は、電源遮断時において、ドレンポンプ３５と加湿器３７との両方に必要な電力を供給できないものとする。図２は、コントローラ６０による報知及び非アクティブ化の処理のフローチャートである。図２に示される各ステップについて説明する。
【００５９】
ステップＳ１１では、ドレンポンプ３５と加湿器３７とを連動させる設定（以下、「連動設定」と呼ぶ。）がされているか否かが判定される。連動設定がされている場合、ステップＳ１２において、室内ユニット３０の電源が遮断されているか否かが判定される。連動設定がされていない場合、報知及び非アクティブ化の処理は行われない。
【００６０】
ステップＳ１２において室内ユニット３０の電源が遮断されていないと判定された場合（電源から電力が供給されている場合）、ステップＳ１３において、所定の警報の報知を行う。所定の警報は、例えば、連動設定がされていること、及び、ドレンポンプ３５及び加湿器３７が接続されていることに関する。この場合、ドレンポンプ３５及び加湿器３７は、給電ユニット４０から電力の供給を受けていないため、室内ユニット３０の電源が遮断されていない限り、ドレンポンプ３５と加湿器３７との連動に問題は発生しない。そのため、ステップＳ１４において、コントローラ６０は、空調システム１００（室外ユニット１０及び室内ユニット３０）の運転を継続させる。
【００６１】
ステップＳ１２において室内ユニット３０の電源が遮断されていると判定された場合、ステップＳ１５において、所定の異常の報知を行う。所定の異常は、例えば、給電ユニット４０では対応できない消費電力の対象機器（ドレンポンプ３５及び加湿器３７）が接続されていることに関する。この場合、ステップＳ１６において、コントローラ６０は、圧縮機１１の駆動を停止させて、空調システム１００の運転を停止させる。
【００６２】
ステップＳ１７では、コントローラ６０は、ドレンポンプ３５及び加湿器３７の少なくとも一方の非アクティブ化を行う。具体的には、コントローラ６０は、ドレンポンプ３５と加湿器３７との連動を停止させて、加湿器３７の排水モードを強制排水から自然排水に切り替える。この場合、コントローラ６０は、給電ユニット４０からドレンポンプ３５及び加湿器３７の少なくとも一方への電力の供給を停止して、ドレンポンプ３５と加湿器３７との連動を強制的に停止してもよい。
【００６３】
また、ステップＳ１７において、コントローラ６０は、非アクティブ化を行う代わりに、ドレンポンプ３５と加湿器３７との連動を禁止する旨の指示を施工者に通知してもよい。例えば、コントローラ６０は、加湿器３７の排水モードを強制排水から自然排水に切り替える作業、ドレンポンプ３５及び加湿器３７の少なくとも一方を給電ユニット４０以外の電源に接続しなおす作業、及び、空調システム１００から加湿器３７を取り外す作業等を施工者に指示してもよい。この場合、コントローラ６０は、指示した作業を施工者が実施しない場合、例えば、給電ユニット４０からドレンポンプ３５及び加湿器３７の少なくとも一方への電力の供給を強制的に停止したり、空調システム１００の運転を強制的に停止したりしてもよい。
【００６４】
コントローラ６０による非アクティブ化の実施、又は、施工者による作業の結果、対象機器の消費電力は、給電ユニット４０で対応できる範囲内となる。これにより、ステップＳ１８では、ステップＳ１３又はステップＳ１５で行われた報知が解除される。
【００６５】
（４）効果
本実施形態の空調システム１００では、１台の室外ユニット１０と、複数台の室内ユニット３０とが、給電ユニット４０を介して同一冷媒系統内で接続されている。このようなマルチタイプ（マルチテナント）の空調システムでは、複数の室内ユニット３０の一部の電源が遮断された場合に、電源が遮断されていない他の室内ユニット３０の運転に極力影響が及ばないようにシステム全体の運転を維持することが重要である。
【００６６】
図３は、空調システム１００全体の運転の制御フローを表す。図３に示されるように、空調システム１００全体は、通常制御モード、又は、マルチテナント制御モード（以下、「Ｍ／Ｔ制御モード」と呼ぶ。）で運転する。
【００６７】
通常制御とは、１台の室外ユニットと１台の室内ユニットとからなる従来のシステムでも採用されている、通常時における運転制御である。通常制御モードでは、空調システム１００の全ての室内ユニット３０の電源は遮断されておらず、外部の電源から電力の供給を受けている。通常制御モードでは、空調システム１００は、リモコン５０の操作等によって、空調運転を開始して停止状態から定常状態（通常時における運転制御が行われている状態）に移行したり、空調運転を停止して定常状態から停止状態に移行したりする。定常状態から停止状態に移行する際には、必要に応じて、油戻し運転及びデフロスト運転等が行われる。
【００６８】
通常制御モードで運転している空調システム１００は、室内ユニット３０の少なくとも一部の電源が遮断された場合、Ｍ／Ｔ制御モードに移行する（図３の実線の矢印を参照）。Ｍ／Ｔ制御モードでは、少なくとも１台の室内ユニット３０は、電源が遮断されて運転停止状態となっている。Ｍ／Ｔ制御モードでは、電源が遮断された室内ユニット３０は、給電ユニット４０から電力の供給を受ける。
【００６９】
コントローラ６０は、Ｍ／Ｔ制御モードに対応可能である室内ユニット３０（以下、「Ｍ／Ｔ対応室内ユニット」と呼ぶ。）と、Ｍ／Ｔ制御モードに対応可能ではない室内ユニット３０（以下、「Ｍ／Ｔ非対応室内ユニット」と呼ぶ。）とを区別する。Ｍ／Ｔ対応室内ユニット３０は、電源遮断時において給電ユニット４０から供給される電力のみで運転可能である。Ｍ／Ｔ非対応室内ユニット３０は、給電ユニット４０に接続されていないか、又は、電源遮断時において給電ユニット４０から供給される電力のみで運転可能ではない。
【００７０】
本実施形態では、コントローラ６０は、連動設定がされている室内ユニット３０を、Ｍ／Ｔ非対応室内ユニットとして扱う。コントローラ６０は、図２のステップＳ１７の非アクティブ化の実行、又は、施工者による所定の作業の実施によって、室内ユニット３０を、Ｍ／Ｔ対応室内ユニットとして扱う。これにより、コントローラ６０は、電源遮断時において、通常制御モードからＭ／Ｔ制御モードに移行することができる。
【００７１】
以上より、空調システム１００は、給電ユニット４０では対応できない消費電力の対象機器を予め検知することができる。その際、空調システム１００は、検知された対象機器の非アクティブ化を行うことで、電源遮断時においても、室外ユニット１０及び室内ユニット３０の運転を正常に継続させることができる。
【００７２】
―第２実施形態―
第２実施形態に係る空調システム１００について、第１実施形態に係る空調システム１００との差異を中心に説明する。
【００７３】
本実施形態では、対象機器は、室内ユニット３０で発生したドレン水を排出するためのドレンアップキット及びドレンポンプキットを含む。ドレンアップキットは、ドレン水を所定の高さ位置まで持ち上げた後、鉛直方向下方への勾配を設けた配管内をドレン水の自重により流すことで、ドレン水を排出する。ドレンポンプキットは、ドレン水を所定の高さ位置まで持ち上げた後、ポンプを駆動させてドレン水を圧送することで、ドレン水を排出する。
【００７４】
各室内ユニット３０には、ドレンアップキット又はドレンポンプキット（以下、まとめて「ドレンキット」と呼ぶ。）が取り付けられている。各室内ユニット３０において、ドレンキットは、室内ユニット制御部３４に接続されている。ドレンキットは、室内ユニット制御部３４を介して給電ユニット４０に接続されている。室内ユニット制御部３４は、ドレンキットが室内ユニット３０及び給電ユニット４０に接続されたこと、又は、接続されていることを常時認識することができる。
【００７５】
ドレンキットは、室内ユニット３０との通信回路であるインターロック機構を備える。インターロック機構は、ドレンキットの不具合が発生した時、又は、ドレンキットへの電力供給が停止した時において、当該ドレンキットが接続されている室内ユニット３０の運転を強制的に停止させる機能を有する。
【００７６】
以下において、給電ユニット４０は、電源遮断時において、ドレンキットに必要な電力を供給できないものとする。図４は、コントローラ６０による報知及び非アクティブ化の処理のフローチャートである。図４に示される各ステップについて説明する。
【００７７】
ステップＳ２１では、室内ユニット３０にドレンキットが接続されているか否かが判定される。ドレンキットが接続されている場合、ステップＳ２２において、室内ユニット３０の電源が遮断されているか否かが判定される。ドレンキットが接続されていない場合、報知及び非アクティブ化の処理は行われない。
【００７８】
ステップＳ２２において室内ユニット３０の電源が遮断されていないと判定された場合（電源から電力が供給されている場合）、ステップＳ２３において、所定の警報の報知を行う。所定の警報は、例えば、ドレンキットが接続されていることに関する。この場合、ドレンキットは、給電ユニット４０から電力の供給を受けていないため、室内ユニット３０の電源が停止されない限り、ドレンキットの運転に問題は発生しない。そのため、ステップＳ２４において、コントローラ６０は、空調システム１００（室外ユニット１０及び室内ユニット３０）の運転を継続させる。
【００７９】
ステップＳ２２において室内ユニット３０の電源が遮断されていると判定された場合、ステップＳ２５において、所定の異常の報知を行う。所定の異常は、例えば、給電ユニット４０では対応できない消費電力の対象機器（ドレンキット）が接続されていることに関する。この場合、ステップＳ２６において、コントローラ６０は、ドレンキット及び圧縮機１１の駆動を停止させて、空調システム１００の運転を停止させる。
【００８０】
ステップＳ２７では、コントローラ６０は、ドレンキットの非アクティブ化を行う。具体的には、コントローラ６０は、ドレンキットの駆動を停止させる。
【００８１】
また、ステップＳ２７において、コントローラ６０は、非アクティブ化を行う代わりに、ドレンキットを給電ユニット４０以外の電源に接続しなおす作業、及び、空調システム１００からドレンキットを取り外す作業等を施工者に指示してもよい。この場合、コントローラ６０は、指示した作業を施工者が実施しない場合、例えば、ドレンキットへの電力の供給を強制的に停止したり、空調システム１００の運転を強制的に停止したりしてもよい。
【００８２】
コントローラ６０による非アクティブ化の実施、又は、施工者による作業の結果、対象機器の消費電力は、給電ユニット４０で対応できる範囲内となる。これにより、ステップＳ２８では、ステップＳ２３又はステップＳ２５で行われた報知が解除される。
【００８３】
本実施形態では、コントローラ６０は、ドレンキットが接続されている室内ユニット３０を、Ｍ／Ｔ非対応室内ユニットとして扱う。コントローラ６０は、図４のステップＳ２７の非アクティブ化の実行、又は、施工者による所定の作業の実施によって、室内ユニット３０を、Ｍ／Ｔ対応室内ユニットとして扱う。これにより、コントローラ６０は、電源遮断時において、通常制御モードからＭ／Ｔ制御モードに移行することができる。
【００８４】
以上より、空調システム１００は、給電ユニット４０では対応できない消費電力の対象機器を予め検知することができる。その際、空調システム１００は、検知された対象機器の非アクティブ化を行うことで、電源遮断時においても、室外ユニット１０及び室内ユニット３０の運転を正常に継続させることができる。
【００８５】
―変形例―
（１）変形例Ａ
第１実施形態では、コントローラ６０は、図２のステップＳ１６に示されるように、連動設定がされている状態で室内ユニット３０の電源が遮断された場合、空調システム１００の運転を停止させる。しかし、コントローラ６０は、この場合において、空調システム１００の運転を継続させてもよい。
【００８６】
本変形例では、コントローラ６０は、電源遮断時においても、Ｍ／Ｔ非対応室内ユニット３０を強制的にＭ／Ｔ対応室内ユニット３０として扱う。この場合、室内ユニット３０の電源が遮断される前に加湿器３７が運転していた場合、室内ユニット３０において機内結露及び水漏れのリスクが発生するおそれがある。そのため、コントローラ６０は、これらのリスクの発生に関する警告を報知してもよい。
【００８７】
（２）変形例Ｂ
第２実施形態では、コントローラ６０は、図４のステップＳ２６に示されるように、ドレンキットが接続されている状態で室内ユニット３０の電源が遮断された場合、空調システム１００の運転を停止させる。しかし、コントローラ６０は、この場合において、ドレンキットが接続されている室内ユニット３０のドレンポンプ残留運転が正常に実行されたと見なせる場合には、空調システム１００の運転を継続させてもよい。ドレンポンプ残留運転とは、室内ユニット３０のドレンパンに残留しているドレン水を排出するために、所定の時間ドレンポンプ３５を駆動する運転である。
【００８８】
本変形例では、コントローラ６０は、電源遮断時においても、Ｍ／Ｔ非対応室内ユニット３０を強制的にＭ／Ｔ対応室内ユニット３０として扱う。
【００８９】
なお、コントローラ６０は、ドレンポンプ残留運転が正常に実行されなかった場合には、異常を報知して、空調システム１００の運転を強制的に停止する。当該異常を解除するためには、空調システム１００を再起動した後に、ドレンキットを所定時間駆動させる必要がある。
【００９０】
（３）変形例Ｃ
コントローラ６０は、冷媒回路ＲＣに所定の異常が検知された場合に、室内ユニット３０及び室外ユニット１０の運転を停止してもよい。例えば、コントローラ６０は、安全上の観点から、冷媒回路ＲＣ内に封入されている冷媒の温度及び圧力が異常な値となった場合に、空調システム１００の運転を強制的に停止してもよい。
【００９１】
（４）変形例Ｄ
コントローラ６０は、異常の発生によって空調システム１００の運転を停止させる場合、複数の室内ユニット６０のそれぞれの膨張弁３２の開度変更制御を所定の順番で行ってもよい。開度変更制御とは、電源遮断時におけるリスクを低減するために、膨張弁３２を閉じる制御である。リスクとは、例えば、室外ユニット１０の吸入配管（第１配管Ｐ１）に液冷媒が流入する湿りリスク、及び、室内ユニット３０の室内熱交換器３１でドレン水が発生することによる水漏れリスクである。
【００９２】
この場合、コントローラ６０は、複数の膨張弁３２の開度変更制御を順繰りで行ってもよい。具体的には、コントローラ６０は、所定の時間が経過するごとに、開度変更制御の対象である膨張弁３２を所定の順番に従って変更しながら、複数の膨張弁３２の開度変更制御を行ってもよい。開度変更制御の順番は、例えば、膨張弁３２の開度、及び、当該膨張弁３２に対応する室内ユニット３０の容量に基づいて設定されてもよい。
【００９３】
（５）変形例Ｅ
コントローラ６０は、異常の発生によって空調システム１００の運転を停止させる場合、複数の室内ユニット６０のそれぞれの排水機器（第１実施形態の「ドレンポンプ３５」、又は、第２実施形態の「ドレンキット」）の駆動を所定の順番で行ってもよい。
【００９４】
この場合、コントローラ６０は、排水機器の同時駆動可能台数が１台である場合、同一の排水機器を連続で駆動しないように、複数のドレンポンプ３５を順繰りで駆動してもよい。具体的には、コントローラ６０は、所定の時間が経過するごとに、排水機器を所定の順番に従って駆動させてもよい。排水機器の駆動の順番は、例えば、ドレンパンのフロートスイッチの出力、及び、室内ユニット３０の容量等に基づいて設定されてもよい。
【００９５】
（６）変形例Ｆ
室外ユニット１０は、図１に示されていない他の構成要素をさらに有してもよい。図５は、本変形例における空調システム１００の概略構成図である。図５において、室外ユニット１０は、オイルセパレータ１４、膨張弁１６、レシーバ１８及びアキュームレータ１９をさらに有する。
【００９６】
オイルセパレータ１４は、第３配管Ｐ３に取り付けられる。オイルセパレータ１４は、圧縮機１１から吐出された高圧のガス冷媒から、冷媒の中に混入している潤滑油を除去する。
【００９７】
膨張弁１６は、第５配管Ｐ５に取り付けられる。膨張弁１６は、開度調整が可能な電動弁である。膨張弁１６は、空調システム１００の運転時において、状況に応じて開度が適宜調整され、開度に応じて冷媒を減圧する。
【００９８】
レシーバ１８は、第５配管Ｐ５に取り付けられる。レシーバ１８は、膨張弁１６と液連絡配管ＬＰとの間に取り付けられる。レシーバ１８は、空調システム１００の運転状況に応じて、室外熱交換器１３及び室内熱交換器３１内の冷媒量の変化を吸収するために、冷媒を一時的に貯留する。レシーバ１８は、冷媒回路ＲＣを循環する冷媒に含まれる水分及び異物を除去するための機構を有してもよい。
【００９９】
アキュームレータ１９は、第２配管Ｐ２に取り付けられる。アキュームレータ１９は、冷媒回路ＲＣを流れる気液混合冷媒を、ガス冷媒と液冷媒とに分離し、ガス冷媒のみを圧縮機１１の吸入ポートに送る。
【０１００】
なお、図５において、室外ユニット１０は、レシーバ１８又はアキュームレータ１９を有していなくてもよい。
【０１０１】
実施形態及び変形例Ａ〜Ｅにおいて説明した内容は、図５に示される空調システム１００においても適用可能である。
【０１０２】
―むすび―
以上、本開示の実施形態を説明したが、特許請求の範囲に記載された本開示の趣旨及び範囲から逸脱することなく、形態や詳細の多様な変更が可能なことが理解されるであろう。
【産業上の利用可能性】
【０１０３】
空調システムは、給電ユニットでは対応できない消費電力の機器を予め検知することができる。
【符号の説明】
【０１０４】
１０      室外ユニット
３０      室内ユニット
３５      ドレンポンプ
３７      加湿器
４０      給電ユニット
６０      コントローラ
１００      空調システム
ＲＣ      冷媒回路（冷媒サイクル）
【先行技術文献】
【特許文献】
【０１０５】
【特許文献１】特開２０１３−４０６９８号公報
【図１】
2020197322.tif 000003
【図２】
2020197322.tif 000004
【図３】
2020197322.tif 000005
【図４】
2020197322.tif 000006
【図５】
2020197322.tif 000007
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
室外ユニット（１０）、及び、複数の室内ユニット（３０）を有する冷媒サイクル（ＲＣ）と、
複数の前記室内ユニットの少なくとも一部への電源が遮断された場合に、電源が遮断された前記室内ユニットに補助電源の供給を行う給電ユニット（４０）と、
コントローラ（６０）と、
を備え、
前記コントローラは、複数の前記室内ユニット及び前記給電ユニットの少なくとも一部に所定の機器が接続されたときに、前記機器の状態の報知、及び、前記機器の機能の少なくとも一部の非アクティブ化のうち少なくとも前記非アクティブ化を行う、
空調システム（１００）。
【請求項２】
前記コントローラは、消費電力が所定の閾値を超える前記機器が接続されたときに、前記報知及び前記非アクティブ化のうち少なくとも前記非アクティブ化を行う、
請求項１に記載の空調システム。
【請求項３】
前記コントローラは、音、光及び表示の少なくとも一部による警報を発することで前記報知を行う、
請求項１又は２に記載の空調システム。
【請求項４】
前記機器は、前記室内ユニットに接続される加湿器（３７）、及び、前記加湿器と連動するドレンポンプ（３５）を少なくとも含み、
前記コントローラは、前記機器が接続されたときに、前記加湿器と前記ドレンポンプとの連動を停止させることで前記非アクティブ化を行う、
請求項１から３のいずれか１項に記載の空調システム。
【請求項５】
前記コントローラは、前記機器が接続されている状態で前記室内ユニットの運転が停止した場合に、前記室外ユニットの運転を停止させない、
請求項１から４のいずれか１項に記載の空調システム。
【請求項６】
前記コントローラは、前記冷媒サイクルに所定の異常が検知された場合に、前記室内ユニット及び前記室外ユニットの運転を停止させる、
請求項１から５のいずれか１項に記載の空調システム。
【手続補正２】
【補正対象書類名】明細書
【補正対象項目名】全文
【補正方法】変更
【補正の内容】
【発明の詳細な説明】
【技術分野】
【０００１】
空調システム
【背景技術】
【０００２】
従来、特許文献１（特開２０１３−４０６９８号公報）に開示されるように、一部の室内ユニットの電源が遮断されても空調運転を継続することができる空調システムが知られている。
【発明の概要】
【発明が解決しようとする課題】
【０００３】
一部の室内ユニットの電源が遮断され、電源が遮断された室内ユニットに給電ユニットから電力が供給される際に、給電ユニットでは対応できない消費電力の機器が室内ユニットに接続されていると、当該機器への電力供給が不十分となり空調システムに不具合が生じる課題がある。
【課題を解決するための手段】
【０００４】
第１観点の空調システムは、冷媒サイクルと、給電ユニットと、コントローラとを備える。冷媒サイクルは、室外ユニット、及び、複数の室内ユニットを有する。給電ユニットは、複数の室内ユニットの少なくとも一部への電源が遮断された場合に、電源が遮断された室内ユニットに補助電源の供給を行う。コントローラは、複数の室内ユニット及び給電ユニットの少なくとも一部に所定の機器が接続されたときに、機器の状態の報知、及び、機器の機能の少なくとも一部の非アクティブ化のうち少なくとも非アクティブ化を行う。
【０００５】
第１観点の空調システムは、給電ユニットでは対応できない消費電力の機器を予め検知することができる。
【０００６】
第２観点の空調システムは、第１観点の空調システムであって、コントローラは、消費電力が所定の閾値を超える機器が接続されたときに、報知及び非アクティブ化のうち少なくとも非アクティブ化を行う。
【０００７】
第２観点の空調システムは、給電ユニットでは対応できない消費電力の機器を予め検知することができる。
【０００８】
第３観点の空調システムは、第１観点又は第２観点の空調システムであって、コントローラは、音、光及び表示の少なくとも一部による警報を発することで報知を行う。
【０００９】
第３観点の空調システムは、給電ユニットでは対応できない消費電力の機器の存在を施工者等が予め把握することができる。
【００１０】
第４観点の空調システムは、第１乃至第３観点のいずれか１つの空調システムであって、機器は、室内ユニットに接続される加湿器、及び、加湿器と連動するドレンポンプを少なくとも含む。コントローラは、機器が接続されたときに、加湿器とドレンポンプとの連動を停止させることで非アクティブ化を行う。
【００１１】
第４観点の空調システムは、給電ユニットでは対応できない消費電力の機器を予め検知することができる。
【００１２】
第５観点の空調システムは、第１乃至第４観点のいずれか１つの空調システムであって、コントローラは、機器が接続されている状態で室内ユニットの運転が停止した場合に、室外ユニットの運転を停止させない。
【００１３】
第５観点の空調システムは、一部の室内ユニットの運転が停止した場合でも、他の室内ユニットの運転を継続することができる。
【００１４】
第６観点の空調システムは、第１乃至第５観点のいずれか１つの空調システムであって、コントローラは、冷媒サイクルに所定の異常が検知された場合に、室内ユニット及び室外ユニットの運転を停止させる。
【００１５】
第６観点の空調システムは、冷媒サイクルに異常が発生した場合でも、安全性を確保することができる。
【図面の簡単な説明】
【００１６】
【図１】第１実施形態に係る空調システム１００の概略構成図である。
【図２】第１実施形態における報知及び非アクティブ化の処理のフローチャートである。
【図３】空調システム１００全体の運転の制御フローを表す図である。
【図４】第２実施形態における報知及び非アクティブ化の処理のフローチャートである。
【図５】変形例Ｆに係る空調システム１００の概略構成図である。
【発明を実施するための形態】
【００１７】
―第１実施形態―
第１実施形態に係る空調システム１００について、図面を参照しながら説明する。
【００１８】
（１）空調システム１００の構成
図１は、本実施形態の空調システム１００の概略構成図である。空調システム１００は、家屋、ビル、工場又は公共施設等の建物内に含まれる対象空間において冷房及び暖房等の空気調和を実現するシステムである。
【００１９】
空調システム１００は、冷媒が循環する冷媒回路ＲＣを含む。空調システム１００は、冷媒回路ＲＣにおいて冷媒を循環させて蒸気圧縮方式の冷凍サイクルを行うことにより、対象空間の冷房又は暖房を行う。冷媒回路ＲＣには、Ｒ４１０Ａ、Ｒ３２又はアンモニア等の冷媒が封入されている。
【００２０】
空調システム１００は、主として、熱源ユニットとしての１台の室外ユニット１０と、利用ユニットとしての複数台（図１では３台）の室内ユニット３０（３０ａ，３０ｂ，３０ｃ）と、１台の給電ユニット４０と、複数台（図１では３台）のリモコン５０と、コントローラ６０とを備えている。空調システム１００の冷媒回路ＲＣは、室外ユニット１０と各室内ユニット３０とがガス連絡配管ＧＰ及び液連絡配管ＬＰによって接続されることで構成されている。言い換えると、空調システム１００は、同一冷媒系統に複数の室内ユニット３０が接続された、マルチタイプ（マルチテナント）の空調システムである。
【００２１】
（１−１）室外ユニット１０
室外ユニット１０は、室外（対象空間外）に設置される室外機である。室外ユニット１０は、主として、複数の冷媒配管（第１配管Ｐ１〜第５配管Ｐ５）と、圧縮機１１と、四路切換弁１２と、室外熱交換器１３と、室外ファン１５と、室外ユニット制御部１７とを有している。
【００２２】
第１配管Ｐ１は、ガス連絡配管ＧＰと四路切換弁１２とを接続する冷媒配管である。第２配管Ｐ２は、四路切換弁１２と圧縮機１１の吸入ポート（図示省略）とを接続する吸入配管である。第３配管Ｐ３は、圧縮機１１の吐出ポート（図示省略）と四路切換弁１２とを接続する吐出配管である。第４配管Ｐ４は、四路切換弁１２と室外熱交換器１３のガス側とを接続する冷媒配管である。第５配管Ｐ５は、室外熱交換器１３の液側と液連絡配管ＬＰとを接続する冷媒配管である。
【００２３】
圧縮機１１は、低圧のガス冷媒を吸入し、圧縮して吐出する機構である。圧縮機１１は、圧縮機モータ１１ａが内蔵された密閉式の構造を有している。圧縮機１１では、圧縮機ケーシング（図示省略）内に収容されたロータリ式又はスクロール式等の圧縮要素（図示省略）が、圧縮機モータ１１ａを駆動源として駆動される。圧縮機モータ１１ａは、運転中、インバータ制御され、状況に応じて回転数が調整される。圧縮機１１は、駆動時に、吸入ポートから冷媒を吸入し、圧縮し、吐出ポートから吐出する。
【００２４】
四路切換弁１２は、冷媒回路ＲＣにおいて冷媒の流れる方向を切り換えるための弁である。四路切換弁１２は、第１配管Ｐ１、第２配管Ｐ２、第３配管Ｐ３及び第４配管Ｐ４と個別に接続されている。四路切換弁１２は、冷房運転時には、第１配管Ｐ１と第２配管Ｐ２とが接続されるとともに、第３配管Ｐ３と第４配管Ｐ４とが接続されるように、流路を切り換える（図１の四路切換弁１２の実線を参照）。四路切換弁１２は、暖房運転時には、第１配管Ｐ１と第３配管Ｐ３とが接続されるとともに、第２配管Ｐ２と第４配管Ｐ４とが接続されるように、流路を切り換える（図１の四路切換弁１２の破線を参照）。
【００２５】
室外熱交換器１３は、冷房運転時には冷媒の凝縮器又は放熱器として機能し、暖房運転時には冷媒の蒸発器として機能する熱交換器である。室外熱交換器１３は、冷媒が流れる伝熱管（図示省略）と、伝熱面積を増大する伝熱フィン（図示省略）とを含む。室外熱交換器１３は、運転時において、伝熱管内の冷媒と、室外ファン１５によって生成される空気流とが熱交換可能なように配置されている。
【００２６】
室外ファン１５は、例えばプロペラファンである。室外ファン１５は、室外ファンモータ１５ａの出力軸に接続されており、室外ファンモータ１５ａに連動して駆動する。室外ファン１５は、駆動すると、外部から室外ユニット１０内に流入し室外熱交換器１３を通過してから室外ユニット１０外へ流出する空気流を生成する。
【００２７】
室外ユニット制御部１７は、ＣＰＵ及びメモリ等から構成されるマイクロコンピュータである。室外ユニット制御部１７は、室外ユニット１０の各アクチュエータの動作を制御する。室外ユニット制御部１７は、各室内ユニット３０の室内ユニット制御部３４（後述）と、通信線ｃｂ１，ｃｂ２及び給電ユニット４０を介して接続されており、相互に信号の送受信を行う。
【００２８】
（１−２）室内ユニット３０
室内ユニット３０（３０ａ，３０ｂ，３０ｃ）は、対象空間に設置される室内機である。室内ユニット３０は、室外ユニット１０とともに冷媒回路ＲＣを構成している。室内ユニット３０は、主として、室内熱交換器３１と、膨張弁３２（３２ａ，３２ｂ，３２ｃ）と、室内ファン３３と、室内ユニット制御部３４とを有している。
【００２９】
室内熱交換器３１は、冷房運転時には冷媒の蒸発器として機能し、暖房運転時には冷媒の凝縮器又は放熱器として機能する熱交換器である。室内熱交換器３１は、例えばクロスフィンチューブ熱交換器である。室内熱交換器３１の液側は、膨張弁３２（３２ａ，３２ｂ，３２ｃ）まで延びる冷媒配管に接続されている。室内熱交換器３１のガス側は、ガス連絡配管ＧＰまで延びる冷媒配管に接続されている。室内熱交換器３１は、運転時において、伝熱管（図示省略）内の冷媒と、室内ファン３３によって生成される空気流とが熱交換可能なように配置されている。
【００３０】
膨張弁３２（３２ａ，３２ｂ，３２ｃ）は、開度調整が可能な電動弁である。膨張弁３２は、運転時において、状況に応じて開度が適宜調整され、開度に応じて冷媒を減圧する。各室内ユニット３０は、１つの膨張弁３２を有している。具体的には、室内ユニット３０ａは、膨張弁３２ａを有し、室内ユニット３０ｂは、膨張弁３２ｂを有し、室内ユニット３０ｃは、膨張弁３２ｃを有している。膨張弁３２ａ，３２ｂ，３２ｃは、それぞれ、対応する室内ユニット３０ａ，３０ｂ，３０ｃの運転状況に応じて開度が適宜調整される。
【００３１】
膨張弁３２は、室内熱交換器３１の液側まで延びる冷媒配管、及び、液連絡配管ＬＰまで延びる冷媒配管に接続されている。液連絡配管ＬＰは、室外ユニット１０の第５配管Ｐ５と、各膨張弁３２とを接続する。液連絡配管ＬＰの一端は、第５配管Ｐ５と接続され、液連絡配管ＬＰの他端は、膨張弁３２の数に応じて分岐して各膨張弁３２と個別に接続されている。
【００３２】
室内ファン３３は、例えばターボファン、シロッコファン、クロスフローファン又はプロペラファン等の送風機である。室内ファン３３は、室内ファンモータ３３ａの出力軸に接続されている。室内ファン３３は、室内ファンモータ３３ａに連動して駆動する。室内ファン３３は、駆動すると、室内ユニット３０内に吸い込まれて室内熱交換器３１を通過した後に対象空間へと吹き出される空気流を生成する。
【００３３】
室内ユニット制御部３４は、ＣＰＵ及びメモリ等から構成されるマイクロコンピュータである。室内ユニット制御部３４は、室内ユニット３０の各アクチュエータの動作を制御する。各室内ユニット制御部３４は、室外ユニット制御部１７と、通信線ｃｂ１，ｃｂ２及び給電ユニット４０を介して接続されており、相互に信号の送受信を行う。室内ユニット制御部３４は、リモコン５０と無線通信を行う。
【００３４】
室内ユニット３０の室内ユニット制御部３４は、当該室内ユニット３０の膨張弁３２と通信線（図示省略）を介して接続されており、当該膨張弁３２の開度を調整することができる。
【００３５】
（１−３）給電ユニット４０
給電ユニット４０は、室外ユニット制御部１７及び各室内ユニット制御部３４と、通信線ｃｂ１，ｃｂ２を介して接続されている。具体的には、通信線ｃｂ１は、給電ユニット４０と室外ユニット制御部１７とを接続しており、通信線ｃｂ２は、室内ユニット制御部３４の数に応じて分岐し、給電ユニット４０と各室内ユニット制御部３４とを接続している。通信線ｃｂ１は、給電ユニット４０を介して通信線ｃｂ２に接続されている。
【００３６】
各室内ユニット３０は、建物に設置されている外部の商用電源（図示省略）に接続されている。室内ユニット３０は、正常運転時には商用電源から供給された電力によって稼動している。給電ユニット４０は、複数の室内ユニット３０の少なくとも一部への商用電源が遮断された場合、言い換えると、少なくとも１つの室内ユニット３０への商用電源からの電力供給が停止した場合に、商用電源（以下、単に「電源」と呼ぶ。）が遮断された室内ユニット３０に電力を供給するための補助電源である。通信線ｃｂ２は、室外ユニット制御部１７と各室内ユニット制御部３４との間で送受信される信号の他に、給電ユニット４０から各室内ユニット３０に供給される電力を伝送する。
【００３７】
（１−４）リモコン５０
リモコン５０は、ＣＰＵ及びメモリ等から構成されるマイクロコンピュータを含むリモコン制御部（図示省略）と、空調システム１００へ各種コマンドを入力するための入力キーを含むリモコン入力部（図示省略）とを有するデバイスである。
【００３８】
空調システム１００は、室内ユニット３０と同数のリモコン５０を有している。リモコン５０は、いずれかの室内ユニット３０と一対一で対応づけられている。リモコン５０は、対応する室内ユニット３０の室内ユニット制御部３４と、赤外線及び電波等を用いて無線通信を行う。リモコン５０は、ユーザ及び管理者等によってリモコン入力部へコマンドが入力されると、入力されたコマンドに応じて、所定の信号を室内ユニット制御部３４に送信する。
【００３９】
（１−５）コントローラ６０
空調システム１００では、室外ユニット１０の室外ユニット制御部１７と、各室内ユニット３０（３０ａ，３０ｂ，３０ｃ）の室内ユニット制御部３４とが通信線ｃｂ１，ｃｂ２及び給電ユニット４０を介して接続されることで、コントローラ６０が構成されている。コントローラ６０は、空調システム１００の動作を制御する。
【００４０】
（２）空調システム１００の運転
いずれかのリモコン５０に運転開始コマンドが入力され、コントローラ６０によって冷房運転又は暖房運転に係る制御が実行されると、四路切換弁１２が所定の状態に切り換えられ、圧縮機１１及び室外ファン１５が起動する。その後、運転開始コマンドが入力されたリモコン５０に対応する室内ユニット３０が運転状態（室内ファン３３が稼動している状態）となる。
【００４１】
（２−１）冷房運転
冷房運転時には、四路切換弁１２が冷房サイクル状態（図１の四路切換弁１２の実線で示された状態）に切り換えられる。この状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、及び第４配管Ｐ４を通過して室外熱交換器１３に流入する。
【００４２】
室外熱交換器１３に流入した冷媒は、室外ファン１５が生成する空気流と熱交換して凝縮する。室外熱交換器１３から流出した冷媒は、第５配管Ｐ５及び液連絡配管ＬＰを通過して、各室内ユニット３０に流入する。
【００４３】
室内ユニット３０に流入した冷媒は、膨張弁３２に流入する。膨張弁３２に流入した冷媒は、膨張弁３２の開度に応じて減圧される。膨張弁３２から流出した冷媒は、室内熱交換器３１に流入し、室内ファン３３によって生成される空気流と熱交換して蒸発する。室内熱交換器３１から流出した冷媒は、ガス連絡配管ＧＰを通過して室外ユニット１０に流入する。
【００４４】
室外ユニット１０に流入した冷媒は、第１配管Ｐ１、四路切換弁１２、及び第２配管Ｐ２を通過して、再び圧縮機１１に吸入されて圧縮される。
【００４５】
（２−２）暖房運転
暖房運転時には、四路切換弁１２が暖房サイクル状態（図１の四路切換弁１２の破線で示された状態）に切り換えられる。この状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、第１配管Ｐ１及びガス連絡配管ＧＰを通過して各室内ユニット３０に流入する。
【００４６】
室内ユニット３０に流入した冷媒は、室内熱交換器３１に流入し、室内ファン３３が生成する空気流と熱交換して凝縮する。室内熱交換器３１から流出した冷媒は、膨張弁３２に流入し、膨張弁３２の開度に応じて減圧される。膨張弁３２から流出した冷媒は、液連絡配管ＬＰを通過して室外ユニット１０に流入する。
【００４７】
室外ユニット１０に流入した冷媒は、第５配管Ｐ５を通過して室外熱交換器１３に流入する。室外熱交換器１３に流入した冷媒は、室外ファン１５によって生成される空気流と熱交換して蒸発する。室外熱交換器１３から流出した冷媒は、第４配管Ｐ４、四路切換弁１２、及び第２配管Ｐ２を通過して、再び圧縮機１１に吸入されて圧縮される。
【００４８】
（３）コントローラ６０の詳細
次に、複数の室内ユニット３０及び給電ユニット４０の少なくとも一部に所定の機器（以下、「対象機器」と呼ぶ。）が接続された時、又は、接続されている時（以下、「機器接続時」と呼ぶ。）における、コントローラ６０による空調システム１００の動作の制御について説明する。
【００４９】
本実施形態では、対象機器は、各室内ユニット３０に取り付けられている加湿器３７及びドレンポンプ３５を少なくとも含む。各室内ユニット３０において、加湿器３７及びドレンポンプ３５は、室内ユニット制御部３４に接続されている。加湿器３７及びドレンポンプ３５は、室内ユニット制御部３４を介して給電ユニット４０に接続されている。室内ユニット制御部３４は、加湿器３７及びドレンポンプ３５が室内ユニット３０及び給電ユニット４０に接続されたこと、又は、接続されていることを常時認識することができる。
【００５０】
加湿器３７は、自然排水及び強制排水の機能を有する。自然排水とは、運転中の加湿器３７から発生した水を、ドレンパン及び外部の機器を用いないで室内ユニット３０から排出する機能である。強制排水とは、運転中の加湿器３７から発生した水を、ドレンポンプ３５等の機器を用いて室内ユニット３０から排出する機能である。本実施形態では、加湿器３７の強制排水は、加湿器３７から発生した水をドレンパンに貯留し、ドレンパンに貯留された水をドレンポンプ３５で排出することにより行われる。ドレンポンプ３５は、冷房運転時においては、室内熱交換器３１で発生してドレンパンに貯留されたドレン水を排出するために用いられる。室内ユニット３０の室内ユニット制御部３４は、加湿器３７が現在行っている排水モードが、自然排水であるのか強制排水であるのかを認識しない。
【００５１】
暖房運転時において、加湿器３７が自然排水を行っている場合、加湿器３７から発生した水はドレンパンに貯留されないので、ドレンポンプ３５の常時運転は不要である。一方、暖房運転時において、加湿器３７が強制排水を行っている場合、加湿器３７から発生した水はドレンパンに貯留されるので、ドレンポンプ３５の常時運転が必要となる。言い換えると、加湿器３７が強制排水を行っている場合、少なくとも加湿器３７の運転中は、ドレンポンプ３５を運転させる必要がある。そのため、ドレンポンプ３５は、設定に応じて加湿器３７と連動することができる機能を有する。
【００５２】
デフォルトでは、加湿器３７は自然排水を行う。加湿器３７の排水モードを自然排水から強制排水に切り替える場合、空調システム１００の設置を担当する施工者等が現地において排水モードの設定を変更し、必要な工事等を行う必要がある。その際、施工者は、ドレンポンプ３５と加湿器３７とを連動させるために必要な設定を行う。加湿器３７の排水モードを強制排水から自然排水に切り替える場合も、施工者は、現地において必要な設定及び工事等を行う必要がある。
【００５３】
コントローラ６０は、機器接続時において、対象機器の状態の報知、及び、対象機器の機能の少なくとも一部の非アクティブ化の少なくとも一部を行う。
【００５４】
対象機器の状態の報知（以下、「報知」と呼ぶ。）とは、例えば、複数の室内ユニット３０及び給電ユニット４０の少なくとも一部に対象機器が接続されたこと、又は、接続されていることの通知、及び、当該対象機器に関する情報の提示である。対象機器に関する情報とは、例えば、対象機器の種類及び台数である。報知は、例えば、音、光及び表示の少なくとも一部による警報を発することで行われてもよい。「表示」は、例えば、リモコン５０、及び、空調システム１００の管理サーバの画面等にエラーコード等の情報を表示させることで行われてもよい。
【００５５】
対象機器の機能の少なくとも一部の非アクティブ化（以下、「非アクティブ化」と呼ぶ。）とは、例えば、給電ユニット４０から対象機器への電力の供給の停止又は制限、及び、対象機器の機能の制限である。非アクティブ化は、複数の室内ユニット３０及び給電ユニット４０の少なくとも一部に対象機器が接続された状態で行われる。ドレンポンプ３５と加湿器３７とを連動させるための設定が行われている場合、非アクティブ化は、ドレンポンプ３５と加湿器３７との連動を停止することを含む。
【００５６】
コントローラ６０は、例えば、消費電力が所定の閾値を超える対象機器が接続されたときに、報知及び非アクティブ化の少なくとも一部を行う。所定の閾値は、例えば、複数の室内ユニット３０の少なくとも一部への電源が遮断された時（以下、「電源遮断時」と呼ぶ。）において、給電ユニット４０が対象機器に供給することができる電力に基づいて決定される。給電ユニット４０は、電源遮断時において、電源が遮断された室内ユニット３０に電力を供給する。コントローラ６０は、電源遮断時に給電ユニット４０では対応できない消費電力の対象機器を予め検知して、報知及び非アクティブ化の少なくとも一部を行う。
【００５７】
本実施形態では、コントローラ６０は、試運転時及び機器接続時等において、報知及び非アクティブ化の少なくとも一部を行う。「試運転時」とは、例えば、空調システム１００の施工者が施工後の初回起動時にチェック運転を行う時である。「機器接続時」は、上述したように、対象機器が接続されている時を含む。そのため、コントローラ６０は、対象機器の状態を常時監視しながら、報知及び非アクティブ化の少なくとも一部を行うことができる。
【００５８】
以下において、給電ユニット４０は、電源遮断時において、ドレンポンプ３５と加湿器３７との両方に必要な電力を供給できないものとする。図２は、コントローラ６０による報知及び非アクティブ化の処理のフローチャートである。図２に示される各ステップについて説明する。
【００５９】
ステップＳ１１では、ドレンポンプ３５と加湿器３７とを連動させる設定（以下、「連動設定」と呼ぶ。）がされているか否かが判定される。連動設定がされている場合、ステップＳ１２において、室内ユニット３０の電源が遮断されているか否かが判定される。連動設定がされていない場合、報知及び非アクティブ化の処理は行われない。
【００６０】
ステップＳ１２において室内ユニット３０の電源が遮断されていないと判定された場合（電源から電力が供給されている場合）、ステップＳ１３において、所定の警報の報知を行う。所定の警報は、例えば、連動設定がされていること、及び、ドレンポンプ３５及び加湿器３７が接続されていることに関する。この場合、ドレンポンプ３５及び加湿器３７は、給電ユニット４０から電力の供給を受けていないため、室内ユニット３０の電源が遮断されていない限り、ドレンポンプ３５と加湿器３７との連動に問題は発生しない。そのため、ステップＳ１４において、コントローラ６０は、空調システム１００（室外ユニット１０及び室内ユニット３０）の運転を継続させる。
【００６１】
ステップＳ１２において室内ユニット３０の電源が遮断されていると判定された場合、ステップＳ１５において、所定の異常の報知を行う。所定の異常は、例えば、給電ユニット４０では対応できない消費電力の対象機器（ドレンポンプ３５及び加湿器３７）が接続されていることに関する。この場合、ステップＳ１６において、コントローラ６０は、圧縮機１１の駆動を停止させて、空調システム１００の運転を停止させる。
【００６２】
ステップＳ１７では、コントローラ６０は、ドレンポンプ３５及び加湿器３７の少なくとも一方の非アクティブ化を行う。具体的には、コントローラ６０は、ドレンポンプ３５と加湿器３７との連動を停止させて、加湿器３７の排水モードを強制排水から自然排水に切り替える。この場合、コントローラ６０は、給電ユニット４０からドレンポンプ３５及び加湿器３７の少なくとも一方への電力の供給を停止して、ドレンポンプ３５と加湿器３７との連動を強制的に停止してもよい。
【００６３】
また、ステップＳ１７において、コントローラ６０は、非アクティブ化を行う代わりに、ドレンポンプ３５と加湿器３７との連動を禁止する旨の指示を施工者に通知してもよい。例えば、コントローラ６０は、加湿器３７の排水モードを強制排水から自然排水に切り替える作業、ドレンポンプ３５及び加湿器３７の少なくとも一方を給電ユニット４０以外の電源に接続しなおす作業、及び、空調システム１００から加湿器３７を取り外す作業等を施工者に指示してもよい。この場合、コントローラ６０は、指示した作業を施工者が実施しない場合、例えば、給電ユニット４０からドレンポンプ３５及び加湿器３７の少なくとも一方への電力の供給を強制的に停止したり、空調システム１００の運転を強制的に停止したりしてもよい。
【００６４】
コントローラ６０による非アクティブ化の実施、又は、施工者による作業の結果、対象機器の消費電力は、給電ユニット４０で対応できる範囲内となる。これにより、ステップＳ１８では、ステップＳ１３又はステップＳ１５で行われた報知が解除される。
【００６５】
（４）効果
本実施形態の空調システム１００では、１台の室外ユニット１０と、複数台の室内ユニット３０とが、給電ユニット４０を介して同一冷媒系統内で接続されている。このようなマルチタイプ（マルチテナント）の空調システムでは、複数の室内ユニット３０の一部の電源が遮断された場合に、電源が遮断されていない他の室内ユニット３０の運転に極力影響が及ばないようにシステム全体の運転を維持することが重要である。
【００６６】
図３は、空調システム１００全体の運転の制御フローを表す。図３に示されるように、空調システム１００全体は、通常制御モード、又は、マルチテナント制御モード（以下、「Ｍ／Ｔ制御モード」と呼ぶ。）で運転する。
【００６７】
通常制御とは、１台の室外ユニットと１台の室内ユニットとからなる従来のシステムでも採用されている、通常時における運転制御である。通常制御モードでは、空調システム１００の全ての室内ユニット３０の電源は遮断されておらず、外部の電源から電力の供給を受けている。通常制御モードでは、空調システム１００は、リモコン５０の操作等によって、空調運転を開始して停止状態から定常状態（通常時における運転制御が行われている状態）に移行したり、空調運転を停止して定常状態から停止状態に移行したりする。定常状態から停止状態に移行する際には、必要に応じて、油戻し運転及びデフロスト運転等が行われる。
【００６８】
通常制御モードで運転している空調システム１００は、室内ユニット３０の少なくとも一部の電源が遮断された場合、Ｍ／Ｔ制御モードに移行する（図３の実線の矢印を参照）。Ｍ／Ｔ制御モードでは、少なくとも１台の室内ユニット３０は、電源が遮断されて運転停止状態となっている。Ｍ／Ｔ制御モードでは、電源が遮断された室内ユニット３０は、給電ユニット４０から電力の供給を受ける。
【００６９】
コントローラ６０は、Ｍ／Ｔ制御モードに対応可能である室内ユニット３０（以下、「Ｍ／Ｔ対応室内ユニット」と呼ぶ。）と、Ｍ／Ｔ制御モードに対応可能ではない室内ユニット３０（以下、「Ｍ／Ｔ非対応室内ユニット」と呼ぶ。）とを区別する。Ｍ／Ｔ対応室内ユニット３０は、電源遮断時において給電ユニット４０から供給される電力のみで運転可能である。Ｍ／Ｔ非対応室内ユニット３０は、給電ユニット４０に接続されていないか、又は、電源遮断時において給電ユニット４０から供給される電力のみで運転可能ではない。
【００７０】
本実施形態では、コントローラ６０は、連動設定がされている室内ユニット３０を、Ｍ／Ｔ非対応室内ユニットとして扱う。コントローラ６０は、図２のステップＳ１７の非アクティブ化の実行、又は、施工者による所定の作業の実施によって、室内ユニット３０を、Ｍ／Ｔ対応室内ユニットとして扱う。これにより、コントローラ６０は、電源遮断時において、通常制御モードからＭ／Ｔ制御モードに移行することができる。
【００７１】
以上より、空調システム１００は、給電ユニット４０では対応できない消費電力の対象機器を予め検知することができる。その際、空調システム１００は、検知された対象機器の非アクティブ化を行うことで、電源遮断時においても、室外ユニット１０及び室内ユニット３０の運転を正常に継続させることができる。
【００７２】
―第２実施形態―
第２実施形態に係る空調システム１００について、第１実施形態に係る空調システム１００との差異を中心に説明する。
【００７３】
本実施形態では、対象機器は、室内ユニット３０で発生したドレン水を排出するためのドレンアップキット及びドレンポンプキットを含む。ドレンアップキットは、ドレン水を所定の高さ位置まで持ち上げた後、鉛直方向下方への勾配を設けた配管内をドレン水の自重により流すことで、ドレン水を排出する。ドレンポンプキットは、ドレン水を所定の高さ位置まで持ち上げた後、ポンプを駆動させてドレン水を圧送することで、ドレン水を排出する。
【００７４】
各室内ユニット３０には、ドレンアップキット又はドレンポンプキット（以下、まとめて「ドレンキット」と呼ぶ。）が取り付けられている。各室内ユニット３０において、ドレンキットは、室内ユニット制御部３４に接続されている。ドレンキットは、室内ユニット制御部３４を介して給電ユニット４０に接続されている。室内ユニット制御部３４は、ドレンキットが室内ユニット３０及び給電ユニット４０に接続されたこと、又は、接続されていることを常時認識することができる。
【００７５】
ドレンキットは、室内ユニット３０との通信回路であるインターロック機構を備える。インターロック機構は、ドレンキットの不具合が発生した時、又は、ドレンキットへの電力供給が停止した時において、当該ドレンキットが接続されている室内ユニット３０の運転を強制的に停止させる機能を有する。
【００７６】
以下において、給電ユニット４０は、電源遮断時において、ドレンキットに必要な電力を供給できないものとする。図４は、コントローラ６０による報知及び非アクティブ化の処理のフローチャートである。図４に示される各ステップについて説明する。
【００７７】
ステップＳ２１では、室内ユニット３０にドレンキットが接続されているか否かが判定される。ドレンキットが接続されている場合、ステップＳ２２において、室内ユニット３０の電源が遮断されているか否かが判定される。ドレンキットが接続されていない場合、報知及び非アクティブ化の処理は行われない。
【００７８】
ステップＳ２２において室内ユニット３０の電源が遮断されていないと判定された場合（電源から電力が供給されている場合）、ステップＳ２３において、所定の警報の報知を行う。所定の警報は、例えば、ドレンキットが接続されていることに関する。この場合、ドレンキットは、給電ユニット４０から電力の供給を受けていないため、室内ユニット３０の電源が停止されない限り、ドレンキットの運転に問題は発生しない。そのため、ステップＳ２４において、コントローラ６０は、空調システム１００（室外ユニット１０及び室内ユニット３０）の運転を継続させる。
【００７９】
ステップＳ２２において室内ユニット３０の電源が遮断されていると判定された場合、ステップＳ２５において、所定の異常の報知を行う。所定の異常は、例えば、給電ユニット４０では対応できない消費電力の対象機器（ドレンキット）が接続されていることに関する。この場合、ステップＳ２６において、コントローラ６０は、ドレンキット及び圧縮機１１の駆動を停止させて、空調システム１００の運転を停止させる。
【００８０】
ステップＳ２７では、コントローラ６０は、ドレンキットの非アクティブ化を行う。具体的には、コントローラ６０は、ドレンキットの駆動を停止させる。
【００８１】
また、ステップＳ２７において、コントローラ６０は、非アクティブ化を行う代わりに、ドレンキットを給電ユニット４０以外の電源に接続しなおす作業、及び、空調システム１００からドレンキットを取り外す作業等を施工者に指示してもよい。この場合、コントローラ６０は、指示した作業を施工者が実施しない場合、例えば、ドレンキットへの電力の供給を強制的に停止したり、空調システム１００の運転を強制的に停止したりしてもよい。
【００８２】
コントローラ６０による非アクティブ化の実施、又は、施工者による作業の結果、対象機器の消費電力は、給電ユニット４０で対応できる範囲内となる。これにより、ステップＳ２８では、ステップＳ２３又はステップＳ２５で行われた報知が解除される。
【００８３】
本実施形態では、コントローラ６０は、ドレンキットが接続されている室内ユニット３０を、Ｍ／Ｔ非対応室内ユニットとして扱う。コントローラ６０は、図４のステップＳ２７の非アクティブ化の実行、又は、施工者による所定の作業の実施によって、室内ユニット３０を、Ｍ／Ｔ対応室内ユニットとして扱う。これにより、コントローラ６０は、電源遮断時において、通常制御モードからＭ／Ｔ制御モードに移行することができる。
【００８４】
以上より、空調システム１００は、給電ユニット４０では対応できない消費電力の対象機器を予め検知することができる。その際、空調システム１００は、検知された対象機器の非アクティブ化を行うことで、電源遮断時においても、室外ユニット１０及び室内ユニット３０の運転を正常に継続させることができる。
【００８５】
―変形例―
（１）変形例Ａ
第１実施形態では、コントローラ６０は、図２のステップＳ１６に示されるように、連動設定がされている状態で室内ユニット３０の電源が遮断された場合、空調システム１００の運転を停止させる。しかし、コントローラ６０は、この場合において、空調システム１００の運転を継続させてもよい。
【００８６】
本変形例では、コントローラ６０は、電源遮断時においても、Ｍ／Ｔ非対応室内ユニット３０を強制的にＭ／Ｔ対応室内ユニット３０として扱う。この場合、室内ユニット３０の電源が遮断される前に加湿器３７が運転していた場合、室内ユニット３０において機内結露及び水漏れのリスクが発生するおそれがある。そのため、コントローラ６０は、これらのリスクの発生に関する警告を報知してもよい。
【００８７】
（２）変形例Ｂ
第２実施形態では、コントローラ６０は、図４のステップＳ２６に示されるように、ドレンキットが接続されている状態で室内ユニット３０の電源が遮断された場合、空調システム１００の運転を停止させる。しかし、コントローラ６０は、この場合において、ドレンキットが接続されている室内ユニット３０のドレンポンプ残留運転が正常に実行されたと見なせる場合には、空調システム１００の運転を継続させてもよい。ドレンポンプ残留運転とは、室内ユニット３０のドレンパンに残留しているドレン水を排出するために、所定の時間ドレンポンプ３５を駆動する運転である。
【００８８】
本変形例では、コントローラ６０は、電源遮断時においても、Ｍ／Ｔ非対応室内ユニット３０を強制的にＭ／Ｔ対応室内ユニット３０として扱う。
【００８９】
なお、コントローラ６０は、ドレンポンプ残留運転が正常に実行されなかった場合には、異常を報知して、空調システム１００の運転を強制的に停止する。当該異常を解除するためには、空調システム１００を再起動した後に、ドレンキットを所定時間駆動させる必要がある。
【００９０】
（３）変形例Ｃ
コントローラ６０は、冷媒回路ＲＣに所定の異常が検知された場合に、室内ユニット３０及び室外ユニット１０の運転を停止してもよい。例えば、コントローラ６０は、安全上の観点から、冷媒回路ＲＣ内に封入されている冷媒の温度及び圧力が異常な値となった場合に、空調システム１００の運転を強制的に停止してもよい。
【００９１】
（４）変形例Ｄ
コントローラ６０は、異常の発生によって空調システム１００の運転を停止させる場合、複数の室内ユニット６０のそれぞれの膨張弁３２の開度変更制御を所定の順番で行ってもよい。開度変更制御とは、電源遮断時におけるリスクを低減するために、膨張弁３２を閉じる制御である。リスクとは、例えば、室外ユニット１０の吸入配管（第１配管Ｐ１）に液冷媒が流入する湿りリスク、及び、室内ユニット３０の室内熱交換器３１でドレン水が発生することによる水漏れリスクである。
【００９２】
この場合、コントローラ６０は、複数の膨張弁３２の開度変更制御を順繰りで行ってもよい。具体的には、コントローラ６０は、所定の時間が経過するごとに、開度変更制御の対象である膨張弁３２を所定の順番に従って変更しながら、複数の膨張弁３２の開度変更制御を行ってもよい。開度変更制御の順番は、例えば、膨張弁３２の開度、及び、当該膨張弁３２に対応する室内ユニット３０の容量に基づいて設定されてもよい。
【００９３】
（５）変形例Ｅ
コントローラ６０は、異常の発生によって空調システム１００の運転を停止させる場合、複数の室内ユニット６０のそれぞれの排水機器（第１実施形態の「ドレンポンプ３５」、又は、第２実施形態の「ドレンキット」）の駆動を所定の順番で行ってもよい。
【００９４】
この場合、コントローラ６０は、排水機器の同時駆動可能台数が１台である場合、同一の排水機器を連続で駆動しないように、複数のドレンポンプ３５を順繰りで駆動してもよい。具体的には、コントローラ６０は、所定の時間が経過するごとに、排水機器を所定の順番に従って駆動させてもよい。排水機器の駆動の順番は、例えば、ドレンパンのフロートスイッチの出力、及び、室内ユニット３０の容量等に基づいて設定されてもよい。
【００９５】
（６）変形例Ｆ
室外ユニット１０は、図１に示されていない他の構成要素をさらに有してもよい。図５は、本変形例における空調システム１００の概略構成図である。図５において、室外ユニット１０は、オイルセパレータ１４、膨張弁１６、レシーバ１８及びアキュームレータ１９をさらに有する。
【００９６】
オイルセパレータ１４は、第３配管Ｐ３に取り付けられる。オイルセパレータ１４は、圧縮機１１から吐出された高圧のガス冷媒から、冷媒の中に混入している潤滑油を除去する。
【００９７】
膨張弁１６は、第５配管Ｐ５に取り付けられる。膨張弁１６は、開度調整が可能な電動弁である。膨張弁１６は、空調システム１００の運転時において、状況に応じて開度が適宜調整され、開度に応じて冷媒を減圧する。
【００９８】
レシーバ１８は、第５配管Ｐ５に取り付けられる。レシーバ１８は、膨張弁１６と液連絡配管ＬＰとの間に取り付けられる。レシーバ１８は、空調システム１００の運転状況に応じて、室外熱交換器１３及び室内熱交換器３１内の冷媒量の変化を吸収するために、冷媒を一時的に貯留する。レシーバ１８は、冷媒回路ＲＣを循環する冷媒に含まれる水分及び異物を除去するための機構を有してもよい。
【００９９】
アキュームレータ１９は、第２配管Ｐ２に取り付けられる。アキュームレータ１９は、冷媒回路ＲＣを流れる気液混合冷媒を、ガス冷媒と液冷媒とに分離し、ガス冷媒のみを圧縮機１１の吸入ポートに送る。
【０１００】
なお、図５において、室外ユニット１０は、レシーバ１８又はアキュームレータ１９を有していなくてもよい。
【０１０１】
実施形態及び変形例Ａ〜Ｅにおいて説明した内容は、図５に示される空調システム１００においても適用可能である。
【０１０２】
―むすび―
以上、本開示の実施形態を説明したが、特許請求の範囲に記載された本開示の趣旨及び範囲から逸脱することなく、形態や詳細の多様な変更が可能なことが理解されるであろう。
【産業上の利用可能性】
【０１０３】
空調システムは、給電ユニットでは対応できない消費電力の機器を予め検知することができる。
【符号の説明】
【０１０４】
１０      室外ユニット
３０      室内ユニット
３５      ドレンポンプ
３７      加湿器
４０      給電ユニット
６０      コントローラ
１００      空調システム
ＲＣ      冷媒回路（冷媒サイクル）
【先行技術文献】
【特許文献】
【０１０５】
【特許文献１】特開２０１３−４０６９８号公報